(57)【要約】      （修正有）【課題】小さく折り畳んで小袋内に収納して携帯し、小袋から出すと瞬時に展開して、ベンチ等のほこり汚れを気にすることなしに着座することができ、さらに着席者の尻を湿気から保護することのできる座席，ベンチ敷き当て用のシートを新規に提供する。【解決手段】表地１を美粧し裏地２を防水加工したシート３の外周に捻じり畳みと緊張展開の可能なワイヤー４を周着し、且つ収納用の小袋５をシート３の隅に付着して、上記の課題を解決する。【選択図】図１
0003203620.tif 000002
【実用新案登録請求の範囲】
【請求項１】
表地を美粧したシートの外周に捻じり畳みと緊張展開の可能なワイヤーを周着し、捻じり畳みしたシートを小袋に収納するようにしたことを特徴とする座席，ベンチ敷き当て用のシート。
【請求項２】
裏地を防水加工した請求項１に記載の座席，ベンチ敷き当て用のシート。
【請求項３】
シートを収納する小袋をシートの隅に付着した請求項１または２に記載の座席，ベンチ敷き当て用のシート。
【考案の詳細な説明】
【技術分野】
【０００１】
この考案は主に屋外座席、ベンチ敷き当て用のシート、詳しくは野球観戦等の１人座席と２人並び座席、公園のベンチなどに敷き当てする携帯用のシートに関するものある。
【背景技術】
【０００２】
この種の座席敷き当て用のシートに実用新案登録第３１０９５７８号公報がある。該公報は合成樹脂製のシートを２つ折りしてバンド止め携帯し、展開して屋外座席に敷き当てることを記載している。
【特許文献１】実用新案登録第３１０９５７８号公報
【考案の開示】
【考案が解決しようとする課題】
【０００３】
しかしながら、座席敷き当て用のシートを２つ折りした携帯は、なお小かばん程に大きいために携帯に不便であり、また展開して座席に敷き当てるときは、２つ折りの折ぐせにより思うように展開しないために手延ばしするなど面倒が加わるという課題がある。
【課題を解決するための手段】
【０００４】
本考案は  表地を色彩柄などにて明るく美粧したシートの外周に緊張且つ捻じり折りのできるワイヤーを周着して座席，ベンチ敷き当て用のシートを形成し、携帯時にはシートを捻じり折り畳みして小袋に収納して携帯を便利とし、シートを小袋から取り出すとワイヤーの緊張力によりシートは手延ばしすることなしに素早く展開するようにしたことで、上記した課題を解決したのである。
【考案の効果】
【０００５】
本考案は、野球，サッカー，ラグビーなどのスポーツの屋外観戦，公園のベンチでの休憩等において本考案のシートを敷き当てすると、座席，ベンチなどのほこり汚れを気にすることなく着座することができるという効果を生ずる。
【０００６】
裏地に防水加工を施すときは座席，ベンチが濡れていても尻が濡れるということがなくなるという効果を生ずる。
【０００７】
本考案のシートは、小袋から取り出すと周着したワイヤーの張力によりシートを即座に緊張させ展開するので、手延ばしなどすることなしに座席，ベンチに敷き当てることができるという効果を生ずる。
【０００８】
シートはワイヤーの捻じりを伴って小さく折り畳んで、一体または別体の小袋に収納することができるので、携帯を著しく便利にするという効果を生ずる。小袋をシートの隅に付着したときは紛失のおそれが生じないという効果を生ずる。
【０００９】
シートおよび小袋は明るい美粧により愛着感が増長されるという効果を生ずる。
【図面の簡単な説明】
【００１０】
【図１】（ａ）はシートを展開した状態にて示す平面図、（ｂ）は同、裏面図、（ｃ）は２人座席敷き当て用のシートを示す平面図
【図２】小袋内に収納したシートをハンドバッグに入れて携帯する状態を示す斜視図
【図３】（ａ）はシートを小袋に収納した状態を示す斜視図、（ｂ）は同、シートを小袋から取り出した斜視図、（ｃ）はワイヤーの緊張により展開しつつある状態を示す斜視図
【図４】シートの表地面にポケットを設けて簡易カイロを出し入れする状態を示す平面図
【図５】小袋に取付けた取り外し金具によりハンドバッグに吊り下げたシートを取り外した状態の斜視図
【図６】別体の小袋と折り畳んだシートを収納前の状態にて示す斜視図
【符号の説明】
【００１１】
１は表地
２は防水加工した裏地
３はシート
４はワイヤー
５は小袋
５ａは別体の小袋
６は袋口
７はハンドバッグ
８はポケット
９は簡易カイロ
１０は取付金具
【考案を実施するための最良の形態】
【００１２】
本考案は色彩柄などを施して明るく美粧した表地と、防水加工（ＰＶＣ蒸着）した裏地にて、１人座席敷き当て用または２人並び座席敷き当て用などの大小シートを形成し、これらのシートの外周に手延ばしせずに緊張展開する捻じり曲げの可能なワイヤーを周設し、一端の隅部にシートを折畳み収納する美粧した小袋を付着して構成する。
【実施例１】
【００１３】
図１乃至図５は本考案の実施例であって、図１（ａ）（ｂ）（ｃ）に示すように美粧柄の表地１とＰＶＣ蒸着などによる防水加工をした裏地２の合わせにて１人座席，２人座席敷き当て用の大小したシート３を形成し、このシート３の外周に捩じり曲げすることができる細いワイヤー４を１つの輪ができるように周着し、且つシート３の一端の隅にシート３と揃いなどに美粧した小袋を付着する。６は小袋を開閉する袋口である。
【００１４】
常態では図２，図３に示すようにシート３をワイヤー４の捩じりを伴って小さく折り畳んで袋口６より小袋５内に収納して、かばん，ハンドバッグ７などに入れて携帯し、プロ野球，各種のスポーツイベント等の観戦のための屋外座席，ベンチに着席する際にシート３を小袋５より取り出して、これらの座席，ベンチに敷き当てるのである。
【００１５】
シート３は小袋から取り出すと図３（ｂ）（ｃ）に示すようにワイヤー４の輪形への張力を伴った戻りにより緊張展開して手延ばしすることなしにシート３は展開して敷き当てることができることとなる。
【００１６】
かくて座席，ベンチがほこりなどで汚れていても気にすることなしに着席者が快適に観戦，休憩することができることとなる。またシート３はかばん，ハンドバッグ７その他の手荷物の下敷きとしても使用することができる。
さらに雨上がりなどにて座席，ベンチが濡れていても防水加工をした裏地２によりシート３の表地１は濡れの浸透がなく安心して着座することができる。
使用後はワイヤー４を捻じり戻して折畳み、小袋５内に再収納するのである。小袋５をシート３の隅に付着し一体としているので紛失のおそれは生じないものとなっている。
２人座席用のシート３を利用するときは２人着座のほか、１人着座の隣にハンドバッグ７などを汚れることを気にせずに安心して置くことができることとなる。
【００１７】
なお、図４に示すようにシート３の表地１面に１乃至２個のポケット８を設けて、ポケット８内に簡易カイロ９を出し入れ自在に収納することもある。
【００１８】
また、シート３を収納する小袋５は図５に示すように取り外し自在の取付金具１０付きにして、かばん，ハンドバッグ７などに取り付けることもできる。収納用の小袋５はシート３の隅に一体に取付けたもののほか、図６に示すように別体の提手付き小袋５ａとすることもある。
【産業上の利用可能性】
【００１９】
本考案の座席，ベンチ敷き当て用のシートは、携帯に便利で、小袋から取り出すと即時に緊張展開して座席，ベンチに敷き当てすることができることで広く利用されることとなる。
【図１】
0003203620.tif 000003
【図２】
0003203620.tif 000004
【図３】
0003203620.tif 000005
【図４】
0003203620.tif 000006
【図５】
0003203620.tif 000007
【図６】
0003203620.tif 000008